(57)【特許請求の範囲】
【請求項１】
プラント用のエラーを記録する方法であって、
ａ）前記プラントの処理データ群を連続的に記録するステップ（Ｓ１）であって、個々の前記処理データ群は、互いに時刻同期化されており、それぞれプラント運転時間における特定の時点に由来し、かつ、前記プラントの複数の処理データを含む、ステップ（Ｓ１）と、
ｂ）前記プラントの起こりうるエラー状態を検知するステップ（Ｓ３、Ｓ４、Ｓ５）と、
ｃ）記録された前記処理データ群を格納するステップ（Ｓ２、Ｓ７）であって、エラー状態検知前の所定の先行時間内、および／またはエラー状態検知後の所定の後続時間内に測定された、キャッシュされている前記処理データ群が格納されるステップと、
ｄ）プラントのエラー状態が検知されると、エラーコードを生成するステップ（Ｓ３、Ｓ４）と、
ｅ）
ｅ１）格納された前記処理データ群と時刻同期化し、
ｅ２）エラー状態毎の専用のエラーファイルに、関連する前記処理データ群とともに、および／または、
ｅ３）前記エラー状態が検知された前後の所定の時間フレーム内に記録された前記処理データ群とともに、
前記エラーコードを格納するステップ（Ｓ７）と、からなり、
ｆ）前記エラーを記録する方法は、塗装プラントととも用いられ、
ｇ）
ｇ１）塗装されるべき部品を特徴づける部品データ、
ｇ２）オペレータと前記塗装プラントとの相互作用を特徴づけるユーザデータ、および／または、
ｇ３）前記塗装プラント自体の作業応答を特徴づけるプラントデータ、
の塗装プラント処理データが格納され、
ｈ）前記先行時間および／または前記後続時間は、少なくとも１個のスキッドまたは少なくとも１０個のスキッドが前記塗装プラントを通って運ばれる時間に相当し、
ｉ）前記処理データ群および前記エラーコードの格納（Ｓ２，Ｓ７）は、少なくとも１０ｍ秒の時間分解能で行われる、
ことを特徴とするエラーを記録する方法。
【請求項２】
前記エラーファイルに格納される前記処理データ群は、前記エラー状態が検知された時刻前後の所定の時間フレーム内に記録された処理データ群である、
ことを特徴とする請求項１に記載のエラーを記録する方法。
【請求項３】
前記処理データ群を格納するステップ（Ｓ２）では、エラー状態の検知とは無関係に、記録された前記処理データ群をバッファ内にキャッシュし、
前記エラーを記録する方法は、更に、前記エラー状態の検知前の所定の先行時間内に、および／または前記エラー状態の検知後の所定の後続時間内に、記録された前記キャッシュされた処理データ群を選択するステップ（Ｓ６）を含み、
前記処理データ群を前記専用のエラーファイルに格納するステップ（Ｓ７）における前記処理データ群は、前記選択された処理データ群である、
ことを特徴とする請求項１又は２に記載のエラーを記録する方法。
【請求項４】
ａ）前記エラーコードは、エラーの時刻を再現するタイムスタンプ（３）であること、および／または、
ｂ）前記エラーコードは、検知されたエラーの種類を示すこと、
を特徴とする請求項３に記載のエラーを記録する方法。
【請求項５】
前記後続時間は、
ａ）所定の時間であること、
ｂ）前記エラー状態の是正までの時間であること、
ｃ）その時間内に、所定の数の塗装されるべきスキッドまたは部品が前記塗装プラントを
通って運ばれる所定の時間であること、または、
ｄ）一定数のコンベヤサイクルからなる所定の時間であること、
を特徴とする請求項３又は４に記載のエラーを記録する方法。
【請求項６】
前記先行時間は、
ａ）所定の時間であること、
ｂ）その時間内に、所定の数の塗装されるべきスキッドまたは部品が前記塗装プラントを通って運ばれる所定の時間であること、または、
ｃ）一定数のコンベヤサイクルからなる所定の時間であること、
を特徴とする請求項３ないし５のいずれか１項に記載のエラーを記録する方法。
【請求項７】
ａ）前記処理データ群の格納のための前記先行時間および／または前記後続時間は、少なくとも２００ｍ秒、１秒、５秒、１０秒、１分、１時間または１日であること、
を特徴とする請求項３ないし６のいずれか１項に記載のエラーを記録する方法。
【請求項８】
プラント用のエラーを記録する方法であって、
ａ）前記プラントの処理データ群を連続的に記録するステップ（Ｓ１）であって、個々の前記処理データ群は、互いに時刻同期化されており、それぞれプラント運転時間における特定の時点に由来し、かつ、前記プラントの複数の処理データを含む、ステップ（Ｓ１）と、
ｂ）前記プラントの起こりうるエラー状態を検知するステップ（Ｓ３、Ｓ４、Ｓ５）と、
ｃ）記録された前記処理データ群を格納するステップ（Ｓ２、Ｓ７）であって、エラー状態検知前の所定の先行時間内、および／またはエラー状態検知後の所定の後続時間内に測定された、キャッシュされている前記処理データ群が格納されるステップと、
ｄ）プラントのエラー状態が検知されると、エラーコードを生成するステップ（Ｓ３、Ｓ４）と、
ｅ）
ｅ１）格納された前記処理データ群と時刻同期化し、
ｅ２）エラー状態毎の専用のエラーファイルに、関連する前記処理データ群とともに、および／または、
ｅ３）前記エラー状態が検知された前後の所定の時間フレーム内に記録された前記処理データ群とともに、
前記エラーコードを格納するステップ（Ｓ７）と、からなり、
ｆ）前記エラーを記録する方法は、塗装プラントととも用いられ、
ｇ）
ｇ１）塗装されるべき部品を特徴づける部品データ、
ｇ２）オペレータと前記塗装プラントとの相互作用を特徴づけるユーザデータ、および／または、
ｇ３）前記塗装プラント自体の作業応答を特徴づけるプラントデータ、
の塗装プラント処理データが格納され、
ｈ）前記先行時間および／または前記後続時間は、少なくとも１個のスキッドまたは少なくとも１０個のスキッドが前記塗装プラントを通って運ばれる時間に相当し、
前記処理データ群および前記エラーコードの格納（Ｓ２、Ｓ７）は、少なくとも０．１ｍ秒の時間分解能で行われること
を特徴とするエラーを記録する方法。
【請求項９】
ａ）時刻、および／または、
ｂ）センサから計測信号を再現するセンサデータ、および／または、
ｃ）前記塗装プラントで現在塗布されている塗装剤の色、および／または、
ｄ）前記塗装プラントで以前塗布された塗装剤の色、および／または、
ｅ）前記塗装プラントに現在配置されているスキッドの識別番号、および／または、
ｆ）前記塗装プラントに現在配置されている、特に車体のような部品、または前記塗装プラントに現在配置されている複数の部品、の識別番号、および／または、
ｇ）前記塗装プラントに現在配置されている単数もしくは複数の部品の種類、および／または、
ｈ）現在使用されている前記塗装プラントの環状電力供給線の識別番号、および／または、
ｉ）使用されている色の識別番号、および／または、
ｊ）回転噴霧器の速度、および／または、
ｋ）静電塗布装置の充電電圧、および／または、
ｌ）静電塗布装置の充電電流、および／または、
ｍ）現在塗布されている塗装剤の量、および／または、
ｎ）個々の媒体、特に、洗浄剤、溶媒、誘導エア、フラットスプレイ用のシュラウドエア、ナイフエア、エンベロープエア、乾燥用エア、冷却エア、タービン軸受けエアの流量、および／または、
ｏ）個々の誘導エア流の現在の流量、および／または、
ｐ）現在の誘導エア圧、および／または、
ｑ）現在のホーンエア流量および／または現在のホーンエア圧、および／または、
ｒ）現在のドライビングエア流量および／または現在のドライビングエア圧、および／または、
ｓ）塗装圧、および／または、
ｔ）空気圧およびすべての利用可能な空気圧センサ測定値、および／または、
ｕ）洗浄剤圧、および／または、
ｖ）ピグ位置、および／または、
ｗ）前記塗装プラント内の温度、および／または、
ｘ）前記塗装プラント内の湿度、および／または、
ｙ）塗装キャビンの状態、特に換気状態、水洗い出し状態、抽出状態、
ｚ）塗装プラントの充填レベル、および／または、
ａａ）塗装プラントバルブ切替位置、および／または、
ｂｂ）塗装ロボットの位置、速度、加速度および／またはトルク、および／または、
ｃｃ）１つまたは複数の前記処理データの目標／実際の偏差、および／または、
ｄｄ）ユーザ入力、および／または、
ｅｅ）前記ロボットのブラシデータ、動作プログラム番号、および／または、
ｆｆ）コンベヤのデータ、特にコンベヤの増加分および状態、および／または、
ｇｇ）乾燥機のデータおよび状態、および／または、
ｈｈ）制御部品間のデータ交換、
の塗装プラント処理データが格納される
ことを特徴とする請求項１ないし８のいずれか１項に記載のエラーを記録する方法。
【請求項１０】
記録されたデータ群および／またはエラーコードを保守サービス部門に遠隔送信するステップ（Ｓ１１）を含む
ことを特徴とする請求項１ないし９のいずれか１項に記載のエラーを記録する方法。
【請求項１１】
ａ）前記処理データ群および／またはエラーコードを互換性のある大容量記憶媒体に格納するステップと、
ｂ）前記大容量記憶媒体および格納された処理データ群を保守サービス部門に搬送するステップと、
を含む
ことを特徴とする請求項１ないし１０のいずれか１項に記載のエラーを記録する方法。
【請求項１２】
前記塗装プラントの前記エラー状態を検知するステップ（Ｓ３、Ｓ４）は、
ａ）前記塗装プラントの前記処理データ群の解析を使用して、コンピュータ制御されること、および／または、
ｂ）オペレータによりユーザ制御される
こと、を特徴とする請求項１ないし１１のいずれか１項に記載のエラーを記録する方法。
【請求項１３】
エラー状態を検知するために、記録された前記処理データ群の時間曲線が、前記処理データ群の解析の範囲内で所定のエラー曲線と比較される
ことを特徴とする請求項１２に記載のエラーを記録する方法。
【請求項１４】
ａ）前記格納されたデータコードおよび関連する処理データ群を読み取るステップと、
ｂ）読み取られたエラーコードおよび関連する処理データ群をモニタ上に視覚表示するステップと、
を含む
ことを特徴とする請求項１ないし１３のいずれか１項に記載のエラーを記録する方法。
【請求項１５】
ａ）格納された前記処理データ群は、塗装プラントロボットの空間位置をも再現すること、および、
ｂ）前記ロボットの位置は、視覚表示装置におけるスクリーン上に図形表示されること、
を特徴とする請求項１ないし１４のいずれか１項に記載のエラーを記録する方法。
【請求項１６】
ａ）一定の処理データが、前記エラーコードに応じて格納された前記処理データから選
択されること、
ｂ）エラー解析を容易にするため、選択された前記処理データのみが視覚的に表示され
ること、
を特徴とする請求項１ないし１５のいずれか１項に記載のエラーを記録する方法。
【請求項１７】
ａ）前記格納されたエラーコードおよび関連する処理データ群から、可能性のあるエラ
ーの原因および／または対応策をコンピュータ制御により決定するステップ（Ｓ９）と、
ｂ）可能性のあるエラーの原因および／または対応策をスクリーン上に視覚表示するス
テップ（Ｓ１０）と、
を含む
ことを特徴とする請求項１ないし１６のいずれか１項に記載のエラーを記録する方法。
【請求項１８】
エラー検知に続く所定の時間内にエラー検知を抑制するステップを含むことを特徴とする請求項１ないし１７のいずれか１項に記載のエラーを記録する方法。
【請求項１９】
請求項１ないし１８のいずれか１項に記載の、
エラーを記録する方法をコンピュータ上で実行するためのコンピュータプログラム。
【発明の詳細な説明】
【技術分野】
【０００１】
本発明は、塗装プラント用のエラーを記録する方法及びコンピュータプログラムに関する。
【背景技術】
【０００２】
自動車の本体部品を塗装するための塗装作業場の作業中に多数の処理データが蓄積する。処理データのいくつかをあげると、例えば、塗布および塗装ロボットの現在位置、回転噴霧器の速度、静電塗布装置の充電電圧、または（例えば、塗料と誘導エアのような）個々の媒体の流量である。塗装作業場の連続作業中の処理データの記録は、あるデータエラーが原因で塗装作業場で機能不良が起こったとき、その記録された処理データを使用したエラー解析に役立つ。
【０００３】
第１に、処理データを記録するためにプリマスシステムが使用されている。このシステムでは、塗装作業場の連続作業中に蓄積する処理データは、塗装作業場のオペレータによってインストールされる外付け大容量メモリに恒久的かつ無制限に格納される。上記プリマスシステムの第１の欠点は、処理データを格納するために大容量のメモリが必要なことである。プリマスシステムの更なる欠点は、個々の処理データの記録と、それに付随する格納が時刻同期なしに行われるという事実である。例えば、塗装および塗布ロボットの制御システムは、塗装作業場を通って塗装される自動車の本体部品を運ぶコンベヤ制御ユニットとは少し異なるシステム時間を有しているかもしれない。そのような時刻同期の誤差があると、処理データの正確な時間割り当てができないので、格納された処理データを使用する、後のエラー解析の妨げとなる。
【０００４】
第２に、蓄積する処理データは、実際には、ソフトログシステムまたはデータ記録装置により記録される。しかし、記録する前に、チャネルを形成するために、まず記録される処理データが特定されなければならない。データ記録装置により記録するときは、記録する前にケーブルを敷設する必要もある。信号の数や記録されるべき処理データが制限されるからである。そのようなシステムは通常、一連のエラーに対する欠陥発見のために使用されるだけで、すべての塗装作業場にあるわけではない。さらに、記録の期間および記録チャネルの数は制限されている。
【０００５】
プリマスシステムおよびソフトログシステムは共に、蓄積する処理データが塗装作業場のエラーとは独立に記録されるという欠点を有する。
【０００６】
また、プリマスシステムおよびソフトログシステムは、多大な経費をかけて断続的なエラーが解析できるだけであり、欠陥発見のために多くの時間が必要であるという欠点を有している。
【０００７】
自動車業界において使用可能な作業データ記録方法は、例えば、特許文献１から知られている。蓄積する作業データは、連続的にメモリに書き込まれる。次に、蓄積され格納された作業データは、記録期間について、後の解析においてモニタ上で確認できる。したがって、前述の公知のプリマスシステムの場合と同様に、大容量メモリが必要である。さらに、作業データをあるエラーに帰因するとすることが困難であるため、エラー解析はこの場合も難しい。
【０００８】
塗装作業場において塗装の質を調べる方法は、特許文献２から知られており、どのようなエラーも、塗装時における各製造過程にある製品ごとにデータベース内に保存できる。このように、データベース内の格納は、製造過程にある製品に関してであり、エラーに関してではない。さらに、データベースは、塗装期間中に生じた複数のエラーを含み、そのためエラー解析が妨げられる。
【０００９】
最後に、特許文献３から、例えば熱間圧延機に使用される、エラーの原因を決定するシステムが知られている。しかしながら、発生するエラーを、適切な処理データ群に帰因するとすることは、この場合も困難である。
【先行技術文献】
【特許文献】
【００１０】
【特許文献１】独国特許出願公開第３２２４５８６号明細書
【特許文献２】独国特許出願公開第１００３６７４１号明細書
【特許文献３】国際公開第０２／０１３０１５号
【発明の概要】
【発明が解決しようとする課題】
【００１１】
したがって、本発明は、前述のエラーを記録する方法を適切に改善するという課題に基づくものである。
【課題を解決するための手段】
【００１２】
この課題は、主請求項に記載の、エラーを記録する方法の発明によって解決される。
【００１３】
本発明の範囲内において、塗装プラントの処理データ群は、作業中連続的に記録される。個々の処理データ群はそれぞれ塗装プラント運転時間の特定時点に由来し、かつ、塗装プラントの複数の処理データを含む。
【００１４】
記録された処理データ群は、格納された処理データ群を使っての後のエラー解析を可能とするため、その後、連続的に保存される。
【００１５】
塗装プラントでの動作不良を検出するために、本発明はまた、塗装プラントの運転中に生じるエラーを検知するのに提供される。下記に詳細に示されるように、本発明によってエラー検知が種々の方法で行われる。 
【００１６】
次に、下記に詳細に示されるとおり、さまざまな情報を含みうるエラーコードが、エラー検知の結果として生成される。
【００１７】
先行技術から知られている方法中の上述ステップに加えて、本発明はまた、格納された処理データ群と時刻同期してエラーコードが保存されるように提供される。後のエラー解析中に、これにより、格納されたデータ群および同じく格納されたエラーコードを使用して、格納された処理データの時間曲線に対する正確な時間の対応付けが可能となり、エラー解析がかなり容易になる。
【００１８】
本発明の範囲内で使用される処理データ群を連続的に記録するという概念は、処理データ群が通常の塗装作業中に、言い換えれば塗装作業を中断しないで記録されることを好適には意味する。処理データ群の記録は、連続的に行われてもよいし、または不連続的、すなわち特定のサンプリング周波数で行われてもよい。好適には、同様のことが、記録された処理データ群を保存することや、エラー検知およびエラーコードの保存にも適用される。
【００１９】
好ましくは、塗装プラントの作業中に連続的に蓄積する処理データ群は、例えば循環バッファのようなバッファ内にまずキャッシュされる。そこでは、蓄積する処理データ群は特定の期間中連続的に保存され、その後上書きされる。その結果、新たな処理データ群に対してメモリが開放される。例えば、そのような循環バッファは、１０秒から数時間または数日間の記録期間を有しうる。
【００２０】
エラーが検知されると、エラー状態の検知前の所定の先行時間内および／またはエラー状態の検知後の所定の後続時間内に記録されたキャッシュ内の処理データ群が、エラー解析に関連しているので、バッファから選択される。一方、先行時間より先にまたは後続時間より後に蓄積する処理データ群では、通常、エラーの原因調査ができない。したがって、好適には、あるエラーがあった場合に、そのエラー時刻前後の所定時間フレーム内に記録されたそれら処理データ群だけが、後のエラー解析のために格納される。エラー時刻前後のある時間フレームから処理データ群を選択し保存するという本発明の概念は、独立して保護するに値する。したがって、本発明は、一般のエラーを記録する方法も含み、その中では、エラーコードの生成、保存ばかりかエラーとの時刻同期も必ずしも必要というわけではない。
【００２１】
次に、上記方法により選択されるエラー関連の処理データ群は、後のエラー解析を可能にするため好適にはエラーメモリ内に格納される。
【００２２】
次に、個々のエラーコードは、付随の処理データ群とともに、好適には、塗装プラントの各エラー状態ごとに専用エラーファイル内に保存される。第１に、これは、個々のエラーファイルが各エラーの解析に関連するデータのみを含むという利点を有し、より高い明瞭度のおかげでエラー解析を容易にする。第２に、個々のエラーをそれぞれ１個の専用エラーファイルに帰属させることにより、エラー特定専門家による最適のエラー解析を可能にする。例えば、塗布システムにおけるあるエラーから生じるエラーファイルは、塗布システムの専門家によって解析されうる。また、エラーファイルは、例えば電子メールにより各専門家に送信されてもよい。対照的に、コンベヤシステムにおける動作不良から生じるエラーファイルは、コンベヤシステムの専門家によって解析されうる。
【００２３】
各エラー状態ごとのエラーファイルという上記概念は、独立して保護するに値する。したがって、本発明は、一般的にエラーを記録するシステムも含み、そのシステムでは、１つのエラー状態に属する処理データ群だけが単一のエラーファイルにそれぞれ保存される。その際、エラーコードの生成や格納は必ずしも必要というわけではない。
【００２４】
最も単純な場合、時刻に基づいてエラーの時刻を処理データ時間曲線に帰属させられるように、エラーコードは、エラーの時刻を再現するだけのタイムスタンプであってよい。しかしながら、エラーコードが、検知されるエラーの種別を再現することもまた可能である。例えば、塗装プラントの種々の作業上の機能不良は、ほんの２、３例をあげると、コンベヤシステムのエラー、塗布システムのエラーまたは高電圧エラーに区分し得る。さらに、エラーの種別は、どの処理データが許容範囲外であるかを示すことも可能である。
【００２５】
所定の先行時間または後続時間内にバッファ内の処理データ群を上記のように選択するにあたり、先行時間または後続時間は、有益なエラー解析を可能にするため、例えば１０秒から１０分といった特定の範囲であってよい。
【００２６】
一方、本発明の範囲によれば、先行時間または後続時間は、その間に所定の数量の塗装されるべきスキッドまたは部品が塗装プラントを通って運ばれる所定の時間とすることが可能である。
【００２７】
本発明の範囲内において、先行時間または後続時間は、塗装プラントコンベヤシステムの所定数のコンベヤサイクルからなる所定の時間であることもまた可能である。したがって、先行時間または後続時間は、所定の時間、または部品、スキッド、もしくはコンベヤサイクルの数によって定義されてもよい。
【００２８】
また、後続時間は、エラー検知とエラー修正との間に蓄積するすべての処理データ群が選択されるように、エラー検知とそれに続くエラー状態の修正との間の時間であってもよい。
【００２９】
好適には、処理データ群の保存および／またはエラー検知は、少なくとも０．１ｍｓ、１ｍｓ、１０ｍｓまたは少なくとも２００ｍｓの時間分解能により行われ、これは近代的な塗装プラントの高度に動的な運転のための効率的なエラー解析に望ましい。
【００３０】
記録されかつ保存されるべき塗装プラントの処理データについては種々の可能性があり、そのいくつかが以下に示される。
【００３１】
例えば、処理データは、塗装されるべき部品を特徴づける部品データであってよい。格納される部品のデータは、所与の時間にサブコンパクトカー、コンパクトカー、ステーションワゴンまたは高級車のいずれの車体が塗装されるかを規定してもよい。
【００３２】
さらに、オペレータと塗装プラントとの相互作用を特徴づけるユーザデータが、処理データとして記録されかつ保存されてもよい。例えば、作業エラーを検知しかつそれらを後に個別に原因を特定するために、ユーザデータは、個別のオペレータによる、すべての入力（例えば、キーボード入力、スイッチ操作等）を含みうる。さらに、ユーザデータは、オペレータによって認識される塗装プラント出力（例えば、画面表示メッセージ、アラーム等）も含みうる。従って、オペレータが塗装プラントのアラームを無視していたかどうか、後の解析の間に確かめることが可能となる。
【００３３】
好適には、塗装プラント自体の作業応答を特徴づけるプラントデータもまた、処理データとして記録される。塗装プラントに蓄積する種々のデータは、プラントデータと考えてもよく、下記例によって説明される。
【００３４】
例えば、処理データとして格納される塗装プラントデータは、どの色が塗装プラントにおいて現在塗布されているのか、および／または、どの色が塗装プラントにおいて以前に塗布されていたのかを提示しうる。この方法により、特定の色シーケンスまたは特定の着色時間シーケンスのどちらが問題を起こしているのかを、後のエラー解析の間に確かめることが可能である。
【００３５】
また、処理データとして保存されるプラントデータは、塗装プラントにおける現在のスキッドの各識別番号を含みうる。この方法により、特定のスキッドが作業上の問題の原因となっているのかどうかを、後のエラー解析の間に確かめることが可能である。
【００３６】
さらに、塗装プラントにおける現在の部品の識別番号が記録されてもよい。これにより、後のエラー解析の間に、発生するエラーを、規格から逸脱しそれによりエラーを生じたかもしれない特定の部品に帰属させることが可能になる。
【００３７】
また、使用される塗装プラントの環状電力供給線を指す識別番号も保存されてよい。この方法において、例えば、粘性の変化または圧力の変動のために、特定の環状電力供給線がエラーの原因となっているかどうかを、後のエラー解析の間に決定することが可能である。また、環状電力供給線の遮断も理論上のエラー原因である。
【００３８】
回転噴霧器の速度、静電塗布装置の充電電圧、現在塗布されている塗装媒体の量、（例えば、誘導エア、ホーンエア、ドライビングエアなどの）他の媒体の流量、および（例えば、塗料、エア、洗浄剤などの）各種媒体の圧力もまた、塗装プラントの処理データとして特に重要である。
【００３９】
ピグパイプ配置において、塗装プラントのピグに特有の機能不良を検知するため、ピグの各位置もまた検知され保存されうる。
【００４０】
さらに、塗装プラント内の温度、塗装プラントの充填状態、および塗装プラント内のバルブの切替位置は、処理データとして記録されかつ保存されうる。
【００４１】
塗装または塗布ロボットの位置、速度、加速度および／またはトルクもまた、後のエラー解析に特に重要であり、したがって、これらも好適には処理データとして記録されかつ保存される。
【００４２】
さらに、１つまたは複数の前記処理データの目標／実体間の偏差もまた処理データとして記録されかつ保存されてもよい。
【００４３】
しかしながら、本発明は、記録されかつ保存される処理データに関して、前記例に制限されず、別の処理データによって実施されてもよい。
【００４４】
本発明の実施形態において、記録される処理データ群および／またはエラーコードは、個々の塗装プラントのメーカに配置され、かつその結果エラー解析を容易にする特別な技能を有しうる保守サービス部門に、電子的に送信される。例えば、未加工データは保守サービス部門に電子的に送信され、その結果、キャッシング、選択および時刻同期格納は保守サービス部門で行われる。対照的に、エラー関連処理データのキャッシングおよび選択は、好適には塗装プラントのオペレータにおいて行われ、その結果、上記エラーファイルのみが保守サービス部門に送信される。
【００４５】
もちろん、本発明の範囲内において、遠隔データ伝送によって送信するかわりに、処理データまたはエラーファイルを記憶媒体（例えば、ディスケットまたはメモリースティック）に入れて保守サービス部門に運ぶこともまた可能である。
【００４６】
また、本発明に係るエラーを記録する方法の範囲内において、エラー検知は、異なる方法により行われうることにも言及しなければならない。本発明の実施形態において、記録される塗装プラントの処理データ群の自動解析を使用して、エラー検知はコンピュータ制御される。そのような解析の範囲内において、例えば、個々の処理データは、エラーとして検知されるであろう所定の範囲を超えているかどうかが確認されうる。対照的に、本発明の別の実施形態において、エラー検知は、例えば緊急停止ボタンを操作することにより、オペレータによってユーザ制御される。本発明の範囲内において、上記の択一的なエラー検知方法の両方を組合せてもよい。
【００４７】
記録される処理データ群の解析を使用する上記コンピュータ制御のエラー検知の範囲内において、記録される処理データ群の時間曲線は、特定のエラー曲線と比較することが可能である。例えば、処理データがある一定の時間曲線を示せば、あるエラーが検知され得る。
【００４８】
処理データ群の記録および選択的な格納が、本発明に係るエラーを記録する方法の範囲内において好適に行われるだけでなく、オペレータによるエラー解析を容易にするため、視覚表示もまた行われる。その上、処理データ群は、好適には、関連するエラー検知と時刻同期して図表形式でモニタ上に視覚表示される。例えば、種々の処理データの時間曲線は、モニタ上で互いに重ねて表示される。それにより、エラーの正確な時刻を特定するエラーコードが、モニタ上に表示される。さらに、塗布および塗装ロボットを遠近法で表示することにより、エラー時刻における塗布および塗装ロボットの位置を視覚表示装置に示してもよい。
【００４９】
さらに、本発明の好適な実施形態では、格納されたエラーコードおよび関連する処理データ群を解析することにより、エラーが検知されると、推定エラーの原因および／または是正措置をコンピュータ制御により決定する。その上、決定されたエラーの原因または是正措置は、エラー解析における最初の指示を与えるために、モニタ上に視覚的に表示されうる。
【００５０】
また、本発明の一実施形態では、エラーが検知されると、所定の時間、エラー検知に抑制を加えるので、その後に結果として生じるエラーは無視されうる。
【００５１】
最後に、本発明は、上記本発明のエラーを記録する方法だけでなく、上記エラーを記録する方法を実行するコンピュータプログラムを格納するデータ記憶媒体をも含むことに言及しなければならない。ただし、コンピュータプログラムが適切なコンピュータまたは制御プロセッサ上にロードされることが必要である。
【００５２】
また、本発明は、上記エラーを記録する方法を実行する対応エラー記録装置も含む。
【００５３】
本発明に係る他の有利な実施形態は、従属請求項に記載され、または本発明の好適な実施形態の記述と合わせて図面を使用して以下に説明される。それらの図は以下のとおり。
【図面の簡単な説明】
【００５４】
【図１】本発明のエラーを記録する方法を示すフローチャートである。
【図２】エラーコードと時刻同期した処理データ曲線を有するスクリーンショットである。
【発明を実施するための形態】
【００５５】
本発明に係るエラーを記録するシステムの好適な実施形態を、図を参照して説明する。
【００５６】
塗装プラントの現在の処理データ群の連続測定は、第１のステップＳ１において行われる。それにより個々の処理データ群のそれぞれは、種々の塗装プラント処理データ、すなわち、例えば、個々の媒体（例えば、塗料、誘導エア、ドライビングエアなど）の流量、回転噴霧器の速度、または現在塗装されている部品の種類のような部品固有のデータを含む。
【００５７】
さらにステップＳ２において、測定された処理データ群は、次に、１時間または数日の保存期間を有しうる循環バッファであるバッファ内にキャッシュされるので、循環バッファ内の処理データは周期的に上書きされる。
【００５８】
さらにステップＳ３において、バッファ内に保存された処理データ群は、塗装プラントのエラー状態を検知するため、およびエラーの種別を再現するエラーコードを決定するために解析される。最も単純な場合、バッファ内に保存された処理データ群の解析は、現在の処理データ値を所定の限界値と比較することによって行われ、その結果、ある限界値を超えていればエラーが検知される。最も単純な場合、エラーコードは、許容範囲外にある処理データを識別し得る。
【００５９】
さらにまた、ステップＳ４において、エラー状態を示している緊急停止スイッチをオペレータが手動操作することによって、エラー状態を検知するために緊急停止スイッチのデータが入手される。しかるべきエラーコードが、操作された緊急停止スイッチの識別番号に応じて生成されるであろう。
【００６０】
さらに、ステップＳ５において、塗装プラントの作業中にエラーが検知されたかどうかが確かめられる。エラーが検知されなかった場合、処理データ群の実測およびキャッシングをしながら塗装プラントの運転は継続される。反対に、エラーが検知されると、次のステップＳ６において、エラー検知前の所定の先行時間内、およびエラー検知後の所定の後続時間内に測定されたキャッシュされている処理データ群がバッファから選択される。そのとき、先行時間および後続時間は、例えば１０秒間という所定の時間である。
【００６１】
次に、ステップＳ６において選択されたエラー関連の処理データ群は、次のステップＳ７で、しかるべきエラーコードとともに、時刻同期した形で各エラーごとに別個のエラーファイル内に、格納される。
【００６２】
さらに、ステップＳ８において、エラーファイル内に保存された処理データ群は、図２に図示されるように塗装プラントのオペレータ用のモニタ上で図表にして視覚的に表示される。このことは以下に記載される。
【００６３】
このように、図２は、種々の処理データの時間曲線２０、２１、２２、２９、３０、３２を有するスクリーンショット１を示し、時間曲線２０、２１、２２、２９、３０、３２は、共通の時間軸２の上に、時刻同期した形で互いに重なり合って表示されており、個々の時間曲線２０、２１、２２、２９、３０、３２の正確な時刻属性の相互の対応関係を分かりやすくしている。
【００６４】
さらに、スクリーンは、エラーの正確な時刻を表し、かつ表示される処理データに対する帰因を直観的に分かりやすくするエラーコード３を表示する。
【００６５】
種々の処理データに対するいくつかのパラメータ軸４、５もまたスクリーンに表示されている。例えば、パラメータ軸４は、静電回転噴霧器の高電圧をｋＶで表し、一方、パラメータ軸５は、電流をμＡで表す。しかし、ユーザは他のパラメータ軸を表示したり、非表示としてもよい。同じことは、スクリーン上に表示される処理データの選択にもあてはまるので、ユーザは、簡易な方法でエラー解析のために重要なそれらの処理データを選択しかつスクリーン上に表示させることも可能である。
【００６６】
さらにまた、ウィンドウ６は、スクリーン上に表示され、そこでは、直観的なエラー検知を可能にするため、個々の塗布装置および操作ロボットの物理的配置が遠近法ビューで示される。
【００６７】
ステップＳ８に続き、次のステップＳ９では、予想されるエラーの原因および対応策を決定するために、塗装作業場オペレータのコンピュータ支援エキスパートシステムによるエラー解析が行われる。それらは、次にステップＳ１０においてウィンドウ７のスクリーンに表示される。
【００６８】
その後、次のステップＳ１１において塗装作業場オペレータから塗装作業場メーカへのエラーファイルの遠隔データ転送が行われる。その後、メーカの専門家によるエラー解析が実施される。
【００６９】
本発明は、上記の好適な実施形態の例に制限されない。それだけでなく、本発明の概念を利用しており、従って保護の範囲内であれば、種々の代替や変更が可能である。
【図１】
0005769373.tif 000002
【図２】
0005769373.tif 000003